(57)【要約】【課題】  ＰＣ用の表示機器として用いられる表示装置であって、表示部の表示パネルに表示される画像を見ながらのキーボード操作、および、表示部のタッチパネルに対するタッチパネル操作の操作性を向上することができる表示装置を提供する。【解決手段】  表示装置１は、背面に第１ヒンジ部４が取付けられた表示部３と、上面に第２ヒンジ部５が取付けられた台座２と、台座２と表示部３とを連結する第１リンク部材７および第２リンク部材８と、台座２の上面に沿って表示パネルに対して垂直方向に直線変位可能な案内部材６とを備える。そして、表示部３は、第１ヒンジ部４における第１軸線Ｌ１に関して角変位自在であり、かつ、案内部材６の直線変位に伴って傾動し、起立状態と仰臥状態とに切換可能に構成される。【選択図】      図１
2011232548.tif 000002
【特許請求の範囲】
【請求項１】
台座と、
画像を表示する表示パネルと、前記表示パネル上に形成されるタッチパネルとを有する表示部と、
前記表示部の背面に取付けられる第１ヒンジ部と、
前記台座の上面に取付けられる第２ヒンジ部と、
前記第１ヒンジ部と前記第２ヒンジ部とを連結する第１リンク部材であって、
長手方向一端部が、前記第１ヒンジ部を介して前記表示部および前記第２リンク部材に、前記表示パネルおよび前記台座の上面に平行な第１軸線まわりに角変位自在に連結され、
長手方向他端部が、前記第２ヒンジ部を介して前記台座に、前記表示パネルおよび前記台座の上面に平行な第２軸線まわりに角変位自在に連結される第１リンク部材と、
前記台座上に設けられる案内部材であって、前記台座の上面に沿って前記表示パネルに対して垂直方向に直線変位が可能な案内部材と、
前記第１ヒンジ部と前記案内部材とを連結する第２リンク部材であって、
長手方向一端部が、前記第１ヒンジ部を介して前記表示部および前記第１リンク部材に、前記第１軸線まわりに角変位自在に連結され、
長手方向他端部が、前記案内部材の前記直線変位に伴って移動自在に前記案内部材に支持される第２リンク部材と、を含み、
前記表示部は、前記第１ヒンジ部における前記第１軸線に関して角変位自在であり、かつ、前記案内部材の前記直線変位に伴って傾動し、前記表示パネルが水平方向に向くような起立状態と、前記表示パネルが上方を仰ぐような仰臥状態とに切換可能に構成されることを特徴とする表示装置。
【請求項２】
前記第１ヒンジ部は、前記表示部の前記第１軸線に関する角変位の角度範囲を規制する角度規制部材を有し、
前記角度規制部材は、前記第２リンク部材の長手方向一端部に固定されることを特徴とする請求項１に記載の表示装置。
【請求項３】
前記第１軸線を中心とした前記第１リンク部材と前記第２リンク部材との成す角は、前記表示部が起立状態の場合には鋭角であり、前記表示部が仰臥状態の場合には鈍角であることを特徴とする請求項１または２に記載の表示装置。
【請求項４】
前記台座の上面には、前記表示パネルに垂直な方向に延びる案内溝を有するスライド板が設けられ、
前記案内部材は、前記案内溝に沿って直線変位することを特徴とする請求項１〜３のいずれか１つに記載の表示装置。
【請求項５】
前記台座の上面には、前記表示パネルに垂直な方向に延びる台座案内溝が形成され、
前記スライド板は、前記台座案内溝に沿って直線変位自在に設けられることを特徴とする請求項４に記載の表示装置。
【請求項６】
前記スライド板には、上面から垂設された支軸に嵌込まれた平歯車が設けられ、
前記台座および前記案内部材には、前記平歯車に歯合するラックギアがそれぞれ設けられ、
前記案内部材および前記スライド板のそれぞれの直線変位動作は、前記平歯車と前記ラックギアとの歯合機構により行われることを特徴とする請求項５に記載の表示装置。
【請求項７】
前記案内部材と前記スライド板との間には、前記案内部材の直線変位の方向に圧縮されるばね部材が設けられ、
前記ばね部材は、前記表示部が起立状態から仰臥状態に切換えられる場合に圧縮力が働き、前記表示部が仰臥状態から起立状態に切換えられる場合に復元力が働くように構成されることを特徴とする請求項４〜６のいずれか１つに記載の表示装置。
【請求項８】
一端部が前記スライド板に垂設された前記支軸に嵌込まれて前記平歯車に係合し、他端部が前記支軸の軸線まわりに角変位自在な遊端となる操作レバーを有し、
前記案内部材および前記スライド板は、前記操作レバーの他端部の角変位に伴って直線変位することを特徴とする請求項６または７に記載の表示装置。
【請求項９】
前記スライド板および前記操作レバーには、互いに歯合と歯合解除との切換が可能なレバー操作用ラックギアがそれぞれ設けられ、
前記操作レバーは、前記レバー操作用ラックギア同士が歯合状態の場合に角変位動作が阻止され、前記レバー操作用ラックギア同士が歯合解除状態の場合に角変位動作が可能となるように構成されることを特徴とする請求項８に記載の表示装置。
【発明の詳細な説明】
【技術分野】
【０００１】
本発明は、パーソナルコンピュータ用の表示機器として用いられる表示装置に関する。
【背景技術】
【０００２】
パーソナルコンピュータ（ＰＣ）用の表示機器として、液晶表示ディスプレイなどの表示部を備える表示装置がある。液晶表示ディスプレイは、ＣＲＴ（ブラウン管）表示ディスプレイよりも薄型である。そのため、液晶表示ディスプレイとキーボードとが別体に設けられるデスクトップ型のＰＣにおいて、液晶表示ディスプレイの机上での配置位置は、操作者にとって奥側であるので、表示される画像の視認性を良くするために、液晶表示ディスプレイの高さ、傾きの調整ができるようになっている。
【０００３】
近年、表示パネル上にタッチパネルが形成された表示ディスプレイを備えるＰＣが増えてきている。このようなＰＣでは、メール操作、インターネット操作、手書き入力操作および画像編集操作などの操作をタッチパネルにより行うことができるので、利便性を高めることができる。
【０００４】
ＰＣを利用する操作者は、文字入力時には表示ディスプレイを見ながらキーボード操作し、たとえば画像編集作業時にはタッチパネル操作を行うので、キーボード操作およびタッチパネル操作の操作性を向上することが望まれる。
【０００５】
たとえば、キーボード操作およびタッチパネル操作の操作性を向上する表示装置として、図７Ａおよび図７Ｂに示す従来技術の構成がある。図７Ａは、従来技術の表示装置５１の構成を示す側面図であり、図７Ｂは、従来技術の表示装置５１の構成を示す正面図である。
【０００６】
表示装置５１は、台座５２と、表示パネル上にタッチパネルが形成された表示部５３と、台座５２と表示部５３とを連結する連結板５６とを備える。この表示装置５１において、表示部５３の背面には第１ヒンジ部５４が取付けられ、連結板５６の長手方向中央部には中央ヒンジ部５７が設けられ、台座５２には第２ヒンジ部５５が設けられている。連結板５６は、長手方向一端部が第１ヒンジ部５４を介して表示部５３に角変位自在に連結され、長手方向他端部が第２ヒンジ部５５を介して台座５２に角変位自在に連結されている。
【０００７】
このような従来技術の表示装置５１では、表示部５３は、図７Ａ（ａ）に示すように、表示パネルが操作者の正面を臨んで対向する起立状態で、第１ヒンジ部５４の表示パネルおよび台座５２の上面に平行な軸線に関して角変位自在である。さらに、表示部５３は、起立状態で、図７Ｂ（ａ）に示すように、第１ヒンジ部５４の表示パネルに垂直な軸線に関して回転自在で、図７Ｂ（ｂ）に示すように、高さ調整可能に構成されている。操作者は、起立状態の表示部５３の傾きおよび高さなどを調整し、表示パネルに表示される画像を見ながらキーボード操作できる。
【０００８】
また、表示部５３は、中央ヒンジ部５７の表示パネルに平行な軸線に関する角変位動作、および第２ヒンジ部５５の表示パネルに平行な軸線に関する角変位動作に伴って、図７Ａ（ｂ）に示すように、連結板５６が中央ヒンジ部５７を中心に折り畳まれるようにして、表示パネルが上方を仰ぐような仰臥状態に切換可能である。操作者は、タッチパネル操作するときに、表示部５３を起立状態から仰臥状態に切換えることによって、仰臥状態の表示部５３のタッチパネルに対して、操作性を良くしてタッチパネル操作を行うことができる。
【０００９】
また、特許文献１には、液晶ディスプレイ用のスタンドが開示されている。特許文献１に開示されるスタンドは、液晶ディスプレイの背面側と机上載置用のベース板に立設されるスライド支柱との間に配されるリンク機構を備えている。このリンク機構は、液晶ディスプレイ側に配される前方側連結プレートと、スライド支柱側に配される後方側連結プレートと、前方側連結プレートと後方側連結プレートの間の上方側に各々第１の支持軸と第２の支持軸を介して連結される上方側プレートと、前方側連結プレートと後方側連結プレートの間の下方側に各々第３の支持軸と第４の支持軸を介して連結される下方側プレートとからなる。そして、液晶ディスプレイ側に配される第１の支持軸と第３の支持軸との距離は、スライド支柱側に配される第２の支持軸と第４の支持軸との距離よりも短く設定されている。
【００１０】
特許文献１に開示されるスタンドを表示装置用の台座に適用した場合、操作者は、液晶ディスプレイである表示部を起立状態で奥側に配置させて、表示パネルに表示される画像を見ながらキーボード操作でき、タッチパネル操作する場合に、表示部を起立状態のまま手前側に引出すことによって、操作性を良くしてタッチパネル操作を行うことができる。
【先行技術文献】
【特許文献】
【００１１】
【特許文献１】特開２００４−３３３７４４号公報
【発明の概要】
【発明が解決しようとする課題】
【００１２】
図７Ａおよび図７Ｂに示される従来技術の表示装置では、タッチパネル操作するときに、表示部５３を起立状態から仰臥状態に切換えることができるものの、表示部５３は、連結板５６が中央ヒンジ部５７を中心に折り畳まれるようにして仰臥状態にされる。そのため、表示部５３が仰臥状態に切換えられたときに、操作者の手前側に移動されることはないので、操作者の奥側で仰臥状態にされた表示部５３のタッチパネルに対してタッチパネル操作を行う必要があり、操作性が充分に良いとはいえない。
【００１３】
また、特許文献１に開示されるスタンドを表示装置用の台座に適用した場合、タッチパネル操作するときに、表示部を操作者の奥側から手前側に移動させることができるものの、表示部は起立状態のままである。そのため、操作者は、起立状態の表示部のタッチパネルに対してタッチパネル操作を行う必要があり、仰臥状態の表示部に比べて操作性が充分に良いとはいえない。
【００１４】
したがって本発明の目的は、ＰＣ用の表示機器として用いられる表示装置であって、表示部の表示パネルに表示される画像を見ながらのキーボード操作、および、表示部のタッチパネルに対するタッチパネル操作の操作性を向上することができる表示装置を提供することである。
【課題を解決するための手段】
【００１５】
本発明は、台座と、
画像を表示する表示パネルと、前記表示パネル上に形成されるタッチパネルとを有する表示部と、
前記表示部の背面に取付けられる第１ヒンジ部と、
前記台座の上面に取付けられる第２ヒンジ部と、
前記第１ヒンジ部と前記第２ヒンジ部とを連結する第１リンク部材であって、
長手方向一端部が、前記第１ヒンジ部を介して前記表示部および前記第２リンク部材に、前記表示パネルおよび前記台座の上面に平行な第１軸線まわりに角変位自在に連結され、
長手方向他端部が、前記第２ヒンジ部を介して前記台座に、前記表示パネルおよび前記台座の上面に平行な第２軸線まわりに角変位自在に連結される第１リンク部材と、
前記台座上に設けられる案内部材であって、前記台座の上面に沿って前記表示パネルに対して垂直方向に直線変位が可能な案内部材と、
前記第１ヒンジ部と前記案内部材とを連結する第２リンク部材であって、
長手方向一端部が、前記第１ヒンジ部を介して前記表示部および前記第１リンク部材に、前記第１軸線まわりに角変位自在に連結され、
長手方向他端部が、前記案内部材の前記直線変位に伴って移動自在に前記案内部材に支持される第２リンク部材と、を含み、
前記表示部は、前記第１ヒンジ部における前記第１軸線に関して角変位自在であり、かつ、前記案内部材の前記直線変位に伴って傾動し、前記表示パネルが水平方向に向くような起立状態と、前記表示パネルが上方を仰ぐような仰臥状態とに切換可能に構成されることを特徴とする表示装置である。
【００１６】
また本発明は、前記第１ヒンジ部は、前記表示部の前記第１軸線に関する角変位の角度範囲を規制する角度規制部材を有し、
前記角度規制部材は、前記第２リンク部材の長手方向一端部に固定されることを特徴とする。
【００１７】
また本発明は、前記第１軸線を中心とした前記第１リンク部材と前記第２リンク部材との成す角は、前記表示部が起立状態の場合には鋭角であり、前記表示部が仰臥状態の場合には鈍角であることを特徴とする。
【００１８】
また本発明は、前記台座の上面には、前記表示パネルに垂直な方向に延びる案内溝を有するスライド板が設けられ、
前記案内部材は、前記案内溝に沿って直線変位することを特徴とする。
【００１９】
また本発明は、前記台座の上面には、前記表示パネルに垂直な方向に延びる台座案内溝が形成され、
前記スライド板は、前記台座案内溝に沿って直線変位自在に設けられることを特徴とする。
【００２０】
また本発明は、前記スライド板には、上面から垂設された支軸に嵌込まれた平歯車が設けられ、
前記台座および前記案内部材には、前記平歯車に歯合するラックギアがそれぞれ設けられ、
前記案内部材および前記スライド板のそれぞれの直線変位動作は、前記平歯車と前記ラックギアとの歯合機構により行われることを特徴とする。
【００２１】
また本発明は、前記案内部材と前記スライド板との間には、前記案内部材の直線変位の方向に圧縮されるばね部材が設けられ、
前記ばね部材は、前記表示部が起立状態から仰臥状態に切換えられる場合に圧縮力が働き、前記表示部が仰臥状態から起立状態に切換えられる場合に復元力が働くように構成されることを特徴とする。
【００２２】
また本発明は、一端部が前記スライド板に垂設された前記支軸に嵌込まれて前記平歯車に係合し、他端部が前記支軸の軸線まわりに角変位自在な遊端となる操作レバーを有し、
前記案内部材および前記スライド板は、前記操作レバーの他端部の角変位に伴って直線変位することを特徴とする。
【００２３】
また本発明は、前記スライド板および前記操作レバーには、互いに歯合と歯合解除との切換が可能なレバー操作用ラックギアがそれぞれ設けられ、
前記操作レバーは、前記レバー操作用ラックギア同士が歯合状態の場合に角変位動作が阻止され、前記レバー操作用ラックギア同士が歯合解除状態の場合に角変位動作が可能となるように構成されることを特徴とする。
【発明の効果】
【００２４】
本発明によれば、表示装置は、表示パネル上に形成されるタッチパネルを有し、背面に第１ヒンジ部が取付けられた表示部と、上面に第２ヒンジ部が取付けられた台座と、台座と表示部とを連結する第１リンク部材および第２リンク部材と、台座の上面に沿って表示パネルに対して垂直方向に直線変位可能な案内部材とを備える。この表示装置において、第１リンク部材は、長手方向一端部が、第１ヒンジ部を介して表示部および第２リンク部材に、表示パネルおよび台座の上面に平行な第１軸線まわりに角変位自在に連結され、長手方向他端部が、第２ヒンジ部を介して台座に、表示パネルおよび台座の上面に平行な第２軸線まわりに角変位自在に連結される。また、第２リンク部材は、長手方向一端部が、第１ヒンジ部を介して表示部および第１リンク部材に、前記第１軸線まわりに角変位自在に連結され、長手方向他端部が、案内部材の直線変位に伴って移動自在に案内部材に支持される。そして、表示部は、第１ヒンジ部における前記第１軸線に関して角変位自在であり、かつ、案内部材の直線変位に伴って傾動し、表示パネルが水平方向に向くような起立状態と、表示パネルが上方を仰ぐような仰臥状態とに切換可能に構成される。
【００２５】
以上のように構成される本発明の表示装置では、表示部は、表示パネルが操作者の正面を臨んで対向する起立状態で、第１ヒンジ部における第１軸線に関して角変位自在である。これによって、操作者は、起立状態の表示部の傾き角度を調整し、表示パネルに表示される画像を見ながらキーボード操作を行うことができる。また、表示部は、案内部材の直線変位に伴って傾動し、起立状態と仰臥状態とに切換可能である。操作者は、タッチパネル操作するときに、表示部を起立状態から仰臥状態に切換えることによって、案内部材の直線変位に伴って手前側に移動され、かつ仰臥状態にされた表示部のタッチパネルに対してタッチパネル操作を行うことができる。したがって、表示装置は、表示部の表示パネルに表示される画像を見ながらのキーボード操作、および、表示部のタッチパネルに対するタッチパネル操作の操作性を向上することができる。
【００２６】
また本発明によれば、第１ヒンジ部は、表示部の前記第１軸線に関する角変位の角度範囲を規制する角度規制部材を有する。この角度規制部材は、第２リンク部材の長手方向一端部に固定される。これによって、起立状態のときに調整された第１軸線に関する角変位の角度を保持したまま、表示部を起立状態から仰臥状態に切換えることができる。そのため、操作者にとって、表示部を仰臥状態にさせた後に、表示部の傾き角度を再度調整する手間を省くことができる。
【００２７】
また本発明によれば、第１ヒンジ部における第１軸線を中心とした第１リンク部材と第２リンク部材との成す角は、表示部が起立状態の場合には鋭角であり、表示部が仰臥状態の場合には鈍角である。表示部が起立状態の場合に、第１リンク部材と第２リンク部材との成す角を鋭角とすることによって、第１ヒンジ部を介して第１リンク部材および第２リンク部材のそれぞれの一端部に連結される表示部の台座からの距離を長くすることができる、すなわち、台座が載置される机上からの表示部の位置を高くすることができる。そのため、表示装置は、起立状態の表示部の表示パネルに表示される画像を見ながらのキーボード操作に対する操作性を向上することができる。また、表示部が仰臥状態の場合に、第１リンク部材と第２リンク部材との成す角を鈍角とすることによって、第１ヒンジ部を介して第１リンク部材および第２リンク部材のそれぞれの一端部に連結される表示部の台座からの距離を短くすることができる、すなわち、台座が載置される机上からの表示部の位置を低くすることができる。そのため、表示装置は、仰臥状態の表示部のタッチパネルに対するタッチパネル操作の操作性を向上することができる。
【００２８】
また本発明によれば、台座の上面には、表示パネルに垂直な方向に延びる案内溝を有するスライド板が設けられる。そして、案内部材は、前記案内溝に沿って直線変位する。これによって、台座の上面に沿う案内部材の直線変位動作を、スムーズにすることができる。
【００２９】
また本発明によれば、台座の上面には、表示パネルに垂直な方向に延びる台座案内溝が形成され、前記スライド板は、台座案内溝に沿って直線変位自在に設けられる。台座の上面に沿って直線変位する案内部材を支持するスライド板が、案内部材とは独立して直線変位するので、表示部が起立状態から仰臥状態に切換えられた場合には、スライド板が操作者の手前側に引出されることになる。これによって、表示装置では、仰臥状態の表示部を支える能力を向上させることができ、仰臥状態の表示部のタッチパネルに対するタッチパネル操作の操作性を向上することができる。
【００３０】
また本発明によれば、スライド板には、上面から垂設された支軸に嵌込まれた平歯車が設けられ、台座および案内部材には、前記平歯車に歯合するラックギアがそれぞれ設けられる。そして、案内部材およびスライド板のそれぞれの直線変位動作は、前記平歯車と前記ラックギアとの歯合機構により行われる。これによって、表示装置では、案内部材およびスライド板のそれぞれの直線変位に伴って起立状態と仰臥状態とに切換えられる、表示部の切換動作を、前記歯合機構によるスムーズな一連動作で行うことができる。
【００３１】
また本発明によれば、案内部材とスライド板との間には、案内部材の直線変位の方向に圧縮されるばね部材が設けられる。そして、ばね部材は、表示部が起立状態から仰臥状態に切換えられる場合に圧縮力が働き、表示部が仰臥状態から起立状態に切換えられる場合に復元力が働くように構成される。これによって、表示装置では、表示部を仰臥状態から起立状態に切換える場合に、表示部の重量の一部をばね部材の復元力で支えることができるので、操作者は、小さな力で表示部を仰臥状態から起立状態に切換えることができる。
【００３２】
また本発明によれば、表示装置は、一端部がスライド板に垂設された支軸に嵌込まれて平歯車に係合し、他端部が支軸の軸線まわりに角変位自在な遊端となる操作レバーを有する。そして、案内部材およびスライド板は、操作レバーの他端部の角変位に伴って直線変位するように構成されている。これによって、表示装置では、案内部材およびスライド板のそれぞれの直線変位に伴って起立状態と仰臥状態とに切換えられる、表示部の切換動作を、表示部を把持しながら行う必要がなく、操作レバーを角変位させることによって行うことができる。
【００３３】
また本発明によれば、スライド板および操作レバーには、互いに歯合と歯合解除との切換が可能なレバー操作用ラックギアがそれぞれ設けられている。そして、操作レバーは、レバー操作用ラックギア同士が歯合状態の場合に角変位動作が阻止され、レバー操作用ラックギア同士が歯合解除状態の場合に角変位動作が可能となるように構成される。これによって、操作者は、レバー操作用ラックギア同士を歯合解除状態にし、操作レバーを角変位させて表示部を起立状態と仰臥状態とにわたって傾動させているときに、レバー操作用ラックギア同士を歯合状態にすることによって、起立状態と仰臥状態との間の任意の状態、たとえば台座に対する傾斜角度が４５°の状態で表示部を固定することができる。
【図面の簡単な説明】
【００３４】
【図１】本発明の実施の一形態に係る表示装置１の構成を示す図である。
【図２】表示部３が起立状態に切換えられた場合の表示装置１を示す図である。
【図３】表示部３が仰臥状態に切換えられた場合の表示装置１を示す図である。
【図４】スライド板１０に設けられる平歯車１３と、台座２および案内部材６にそれぞれ設けられるラックギア１５，１６との歯合機構を説明するための図である。
【図５】スライド板１０および操作レバー１８にそれぞれ設けられるレバー操作用ラックギア１９，２０を説明するための図である。
【図６】案内部材６とスライド板１０との間に設けられるばね部材１７を説明するための図である。
【図７Ａ】従来技術の表示装置５１の構成を示す側面図である。
【図７Ｂ】従来技術の表示装置５１の構成を示す正面図である。
【発明を実施するための形態】
【００３５】
図１は、本発明の実施の一形態に係る表示装置１の構成を示す図である。図１（ａ）は、表示装置１を側方から見たときの部分断面図であり、図１（ｂ）は、表示部３の背面側から見た図である。図２は、表示部３が起立状態に切換えられた場合の表示装置１を示す図である。図２（ａ）は、表示部３が起立状態に切換えられた場合の表示装置１の側面図であり、図２（ｂ）は、その場合の正面図である。図３は、表示部３が仰臥状態に切換えられた場合の表示装置１を示す図である。図３（ａ）は、表示部３が仰臥状態に切換えられた場合の表示装置１の側面図であり、図３（ｂ）は、その場合の正面図である。
【００３６】
表示装置１は、パーソナルコンピュータ（ＰＣ）用の表示機器としての機能を有し、ＰＣの処理結果などを表示する。デスクトップ型のＰＣでは、机上に表示装置１を載置した状態で、表示装置１の表示面を見ながら、キーボードまたはマウスなどで文字入力などを行い、メール操作、インターネット操作、手書き入力操作および画像編集操作などの操作を表示装置１のタッチパネルより入力可能にされている。
【００３７】
表示装置１は、台座２と、表示部３と、表示部３の背面に取付けられる第１ヒンジ部４と、台座２の上面に取付けられる第２ヒンジ部５と、台座２上に設けられる案内部材６と、第１リンク部材７と、第２リンク部材８とを含む。
【００３８】
台座２は、表示装置１を机上に載置するときの基体となる。表示部３は、たとえば液晶表示ディスプレイなどであり、画像を表示する表示パネルと、表示パネル上に形成されるタッチパネルとを有する。表示部３の画面サイズ（表示パネルのサイズ）は、特に限定されるものではないが、本実施形態では２１．５インチである。なお、台座２を含めた表示装置１の全体の大きさは、縦３９６ｍｍ×横５１８ｍｍである。
【００３９】
本実施形態では、台座２の上面には、表示パネルに垂直な方向Ａ１，Ａ２に延びる台座案内溝１２が形成され、その台座案内溝１２に沿って直線変位自在にスライド板１０が設けられている。このスライド板１０には、表示パネルに垂直な方向Ａ１，Ａ２に延びる案内溝１１が形成されている。
【００４０】
第１ヒンジ部４は、一対のボルト挿通孔を有する取付け板４ａと、２組のＭ８ボルト、バネワッシャ、ブレーキ用ワッシャおよびナットからなる締結部材と、角度規制部材９とを含む。第１ヒンジ部４は、取付け板４ａにより表示部３の背面に取付けられ、その取付け板４ａにおいて、ボルト挿通孔にＭ８ボルトが挿通され、第１リンク部材７および第２リンク部材８のそれぞれの長手方向一端部が、バネワッシャ、ブレーキ用ワッシャおよびナットによって角変位可能に締結されている。また、角度規制部材９は、詳細は後述するが、表示部３の表示パネルおよび台座２の上面に平行な第１軸線Ｌ１に関する角変位の角度範囲を規制する。また、取付け板４ａと表示部３との間に回転板を設けることによって、表示部３を、第１ヒンジ部４の表示パネルに垂直な軸線に関して回転自在に構成することができる。
【００４１】
第２ヒンジ部５は、回転軸５ａと軸受け部５ｂとを含む。第２ヒンジ部５は、軸受け部５ｂにより台座２の上面に取付けられ、その軸受け部５ｂが回転軸５ａを軸支し、第１リンク部材７の長手方向他端部が回転軸５ａに嵌め込まれている。本実施形態では、第２ヒンジ部５は、台座２の上面における後方側端部、すなわち操作者に対して奥側の端部に取付けられている。
【００４２】
案内部材６は、台座２の上面に沿って、表示パネルに対して垂直方向Ａ１，Ａ２に直線変位が可能に構成されている。具体的には、案内部材６は、台座２の上面に配置されるスライド板１０上に、案内溝１１に沿って、表示パネルに垂直な方向Ａ１，Ａ２に直線変位自在に設けられている。これによって、台座２の上面に沿う案内部材６の直線変位動作を、スムーズにすることができる。
【００４３】
第１リンク部材７は、矩形板状に形成されて、第１ヒンジ部４と第２ヒンジ部５とを連結する。この第１リンク部材７は、長手方向一端部が、第１ヒンジ部４を介して表示部３および第２リンク部材８に、表示パネルおよび台座２の上面に平行な第１軸線Ｌ１まわりに角変位自在に連結され、長手方向他端部が、第２ヒンジ部５を介して台座２に、表示パネルおよび台座２の上面に平行な第２軸線Ｌ２まわりに角変位自在に連結されている。また、本実施形態において第１リンク部材７は、長手方向他端部から長手方向一端部に向かうに連れて、操作者に近接する方向に傾斜して設けられる。
【００４４】
第２リンク部材８は、矩形板状に形成されて、第１ヒンジ部４と案内部材６とを連結する。この第２リンク部材８は、長手方向一端部が、第１ヒンジ部４を介して表示部３および第１リンク部材７に、前記第１軸線Ｌ１まわりに角変位自在に連結され、長手方向他端部が、案内部材６の直線変位に伴って移動自在に案内部材６に支持される。なお、案内部材６と第２リンク部材８の他端部とは、固定支軸８ａを介して連結されている。
【００４５】
表示部３は、第１ヒンジ部４における第１軸線Ｌ１に関して角変位自在であり、かつ、案内部材６の表示パネルに垂直な方向Ａ１，Ａ２への直線変位に伴って傾動し、表示パネルが水平方向に向くような起立状態（鉛直方向に起立した状態）と、表示パネルが上方を仰ぐような仰臥状態とに切換可能に構成される。
【００４６】
以上のように構成される本実施形態の表示装置１では、表示部３は、表示パネルが操作者の正面を臨んで対向する、図２に示すような起立状態で、第１ヒンジ部４における第１軸線Ｌ１に関して角変位自在である。これによって、操作者は、起立状態の表示部３の傾き角度を調整し、表示パネルに表示される画像を見ながらキーボード操作を行うことができる。なお、本実施形態では、起立状態における表示部３の第１軸線Ｌ１に関する角変位の角度θ１は、０〜２０°の範囲で調整可能であり、この角変位の角度は、角度規制部材９により規制される。
【００４７】
また、表示部３は、案内部材６の表示パネルに垂直な方向Ａ１，Ａ２への直線変位に伴って傾動し、起立状態と仰臥状態とに切換可能である。操作者は、タッチパネル操作するときに、表示部３を起立状態から、図３に示すような仰臥状態に切換えることによって、案内部材６の直線変位に伴って手前側に移動され、かつ仰臥状態にされた表示部３のタッチパネルに対してタッチパネル操作を行うことができる。したがって、表示装置１は、表示部３の表示パネルに表示される画像を見ながらのキーボード操作、および、表示部３のタッチパネルに対するタッチパネル操作の操作性を向上することができる。なお、本実施形態では、表示部３が案内部材６の直線変位に伴って傾動するときの、台座２に対する表示部３の傾斜角度θ２は、０〜９０°の範囲で調整可能である。
【００４８】
また、本実施形態の表示装置１では、台座２の上面に配置されるスライド板１０は、台座２の台座案内溝１２に沿って、表示パネルに垂直な方向Ａ１，Ａ２への直線変位が自在に設けられている。台座２の上面に沿って直線変位する案内部材６を支持するスライド板１０が、案内部材６とは独立して直線変位するので、表示部３が起立状態から仰臥状態に切換えられた場合には、スライド板１０が操作者の手前側に引出されることになる。これによって、表示装置１では、仰臥状態の表示部３を支える能力を向上させることができ、仰臥状態の表示部３のタッチパネルに対するタッチパネル操作の操作性を向上することができる。
【００４９】
また、第１ヒンジ部４が有する角度規制部材９は、第２リンク部材８の長手方向一端部に固定されるのが好ましい。これによって、起立状態のときに調整された第１軸線Ｌ１に関する角変位の角度を保持したまま、表示部３を起立状態から仰臥状態に切換えることができる。そのため、操作者にとって、表示部３を仰臥状態にさせた後に、表示部３の傾き角度を再度調整する手間を省くことができる。
【００５０】
また、表示装置１において、第１ヒンジ部４における第１軸線Ｌ１を中心とした第１リンク部材７と第２リンク部材８との成す角θ３は、表示部３が起立状態の場合には鋭角であり、表示部３が仰臥状態の場合には鈍角であるのが好ましい。表示部３が起立状態の場合に、第１リンク部材７と第２リンク部材８との成す角θ３を鋭角とすることによって、第１ヒンジ部４を介して第１リンク部材７および第２リンク部材８のそれぞれの一端部に連結される表示部３の台座２からの距離を長くすることができる、すなわち、台座２が載置される机上からの表示部３の位置を高くすることができる。そのため、表示装置１は、起立状態の表示部３の表示パネルに表示される画像を見ながらのキーボード操作に対する操作性を向上することができる。また、表示部３が仰臥状態の場合に、第１リンク部材７と第２リンク部材８との成す角θ３を鈍角とすることによって、第１ヒンジ部４を介して第１リンク部材７および第２リンク部材８のそれぞれの一端部に連結される表示部３の台座２からの距離を短くすることができる、すなわち、台座２が載置される机上からの表示部３の位置を低くすることができる。そのため、表示装置１は、仰臥状態の表示部３のタッチパネルに対するタッチパネル操作の操作性を向上することができる。
【００５１】
また、本実施形態の表示装置１において、案内部材６およびスライド板１０のそれぞれの直線変位動作は、平歯車とラックギアとの歯合機構により行われる。図４は、スライド板１０に設けられる平歯車１３と、台座２および案内部材６にそれぞれ設けられるラックギア１５，１６との歯合機構を説明するための図である。
【００５２】
本実施形態では、スライド板１０には、上面から垂設された支軸１４に嵌込まれた平歯車１３が設けられ、台座２および案内部材６には、前記平歯車１３に歯合するラックギア１５，１６がそれぞれ設けられる。そして、案内部材６およびスライド板１０のそれぞれの直線変位動作は、前記平歯車１３と前記ラックギア１５，１６との歯合機構により行われる。これによって、表示装置１では、案内部材６およびスライド板１０のそれぞれの直線変位に伴って、図４（ａ）に示す起立状態と、図４（ｂ）に示す仰臥状態とに切換えられる、表示部３の切換動作を、前記歯合機構によるスムーズな一連動作で行うことができる。なお、平歯車１３は、充分な強度が得られるように、歯車のモジュールを使用して歯幅を６ｍｍとし、ラックギア１５，１６との噛合い量を増やすために歯数を５２枚とした。
【００５３】
また、平歯車１３が支軸１４の軸線まわりに回転した場合、平歯車１３と歯合する台座２のラックギア１６が固定されているので、平歯車１３を受けているスライド板１０、およびラックギア１５が設けられる案内部材６が、表示パネルに垂直な方向Ａ１，Ａ２へ移動される。
【００５４】
案内部材６およびスライド板１０のそれぞれの直線変位動作が、平歯車１３とラックギア１５，１６との歯合機構により行われる場合、平歯車１３を受けているスライド板１０の移動量（たとえば最大１４０ｍｍ）は、案内部材６の移動量に対して１／２（たとえば最大７０ｍｍ）となる。これによって、スライド板１０は、表示部３が起立状態の場合には台座２の上面内に収納され、表示部３が仰臥状態の場合には台座２の上面から操作者の手前側に引出されることになる。そのため、スライド板１０による仰臥状態の表示部３を支える能力を向上させることができる。
【００５５】
また、本実施形態の表示装置１は、一端部がスライド板１０に垂設された支軸１４に嵌込まれて平歯車１３に係合し、他端部が支軸１４の軸線まわりに角変位自在な遊端となる操作レバー１８を有する。そして、案内部材６およびスライド板１０は、操作レバー１８の他端部の角変位に伴って直線変位するように構成されている。これによって、表示装置１では、案内部材６およびスライド板１０のそれぞれの直線変位に伴って起立状態と仰臥状態とに切換えられる、表示部３の切換動作を、表示部３を把持しながら行う必要がなく、操作レバー１８を角変位させることによって行うことができる。
【００５６】
また、スライド板１０および操作レバー１８には、図５に示すように、互いに歯合と歯合解除との切換が可能なレバー操作用ラックギア１９，２０がそれぞれ設けられている。図５は、スライド板１０および操作レバー１８にそれぞれ設けられるレバー操作用ラックギア１９，２０を説明するための図である。
【００５７】
操作レバー１８は、レバー操作用ラックギア１９，２０同士が歯合状態の場合に角変位動作が阻止され、操作レバーツマミ１８ａが押し下げられて、レバー操作用ラックギア１９，２０同士が歯合解除状態の場合に角変位動作が可能となるように構成される。これによって、操作者は、操作レバーツマミ１８ａを押し下げてレバー操作用ラックギア１９，２０同士を歯合解除状態にし、操作レバー１８を角変位させて表示部３を起立状態と仰臥状態とにわたって傾動させているときに、レバー操作用ラックギア１９，２０同士を歯合状態にすることによって、起立状態と仰臥状態との間の任意の状態、たとえば台座２に対する傾斜角度が４５°の状態で表示部３を固定することができる。また、操作レバーツマミ１８ａが押し下げられない場合には、操作レバー１８の角変位動作が阻止されるので、操作者の本意ではなく操作レバー１８が角変位されて、表示部３が傾動するのを防止することができる。
【００５８】
また、本実施形態の表示装置１において、案内部材６とスライド板１０との間には、図６に示すように、案内部材６の直線変位の方向に圧縮される、ばね部材１７が設けられている。図６は、案内部材６とスライド板１０との間に設けられるばね部材１７を説明するための図である。
【００５９】
ばね部材１７は、表示部３が起立状態から仰臥状態に切換えられる場合に圧縮力が働き、表示部３が仰臥状態から起立状態に切換えられる場合に復元力が働くように構成される。ばね部材１７の配置本数および配置位置は、表示部３の重量に応じて適宜選定するようにすればよい。また、ばね部材１７の案内部材６およびスライド板１０に対する当接位置を変化可能に設けることによって、重量が異なる種々の表示部３を、ばね部材１７の復元力で支えることができる。
【００６０】
たとえば、画面サイズが２１．５インチの表示部３は、重量が３．５ｋｇ程度である。このような重量を有する表示部３を、操作レバー１８を角変位させて仰臥状態から起立状態に切換える場合、操作レバー１８の角変位操作に４ｋｇ以上の力が必要となる。この場合には、操作レバー１８の角変位操作によって台座２ごと移動してしまうおそれがある。これに対して、案内部材６とスライド板１０との間にばね部材１７を設けることによって、表示部３を仰臥状態から起立状態に切換える場合に、表示部３の重量の一部をばね部材１７の復元力を用いて支えることができるので、操作者は、小さな力で表示部３を仰臥状態から起立状態に切換えることができる。
【符号の説明】
【００６１】
１，５１  表示装置
２，５２  台座
３，５３  表示部
４，５４  第１ヒンジ部
５，５５  第２ヒンジ部
６  案内部材
７  第１リンク部材
８  第２リンク部材
９  角度規制部材
１０  スライド板
１１  案内溝
１２  台座案内溝
１３  平歯車
１４  支軸
１５，１６  ラックギア
１７  ばね部材
１８  操作レバー
１９，２０  レバー操作用ラックギア
５６  連結板
５７  中央ヒンジ部
【図１】
2011232548.tif 000003
【図２】
2011232548.tif 000004
【図３】
2011232548.tif 000005
【図４】
2011232548.tif 000006
【図５】
2011232548.tif 000007
【図６】
2011232548.tif 000008
【図７Ａ】
2011232548.tif 000009
【図７Ｂ】
2011232548.tif 000010